(57)【特許請求の範囲】
【請求項１】
発光素子が実装された基板を、一部が透光カバーで構成された管内に、前記発光素子が前記透光カバーに向くように収容し、電極棒を突出させた口金部を両端に有した直管形発光源内装ランプであって、
前記口金部のそれぞれには、着脱可能な１つの受金制限突起が、ソケット側に設けられた１つの受穴に当該受金制限突起が受け入れられた場合に前記透光カバーが所定の一方向を向くように配置されている、直管形発光源内装ランプ。
【請求項２】
前記口金部の一方は接地用電極棒を、他方は給電用電極棒を備えており、かつ前記受金制限突起は、前記口金部の一方、および他方において、それぞれの位置、形状のうちの少なくとも１以上の態様が異なるものとしている、請求項１記載の直管形発光源内装ランプ。
【請求項３】
請求項１に記載の直管形発光源内装ランプに対応し、前記口金部より突出した電極棒を挿着させる電極穴が形成された一対の受金部を有した直管形発光源内装ランプ用ソケットであって、
前記一対の受金部のそれぞれには、１つの受穴が、前記口金部に配置されている１つの受金制限突起が当該受穴に受け入れられた場合に前記透光カバーが所定の一方向を向くように形成されている、直管形発光源内装ランプ用ソケット。
【請求項４】
前記受金部の一方は接地用電極穴、他方は給電用電極穴を備えており、かつ前記受穴は、前記受金部の一方、および他方において、それぞれの位置、形状のうちの少なくとも１以上の態様が異なるものとしている、請求項３記載の直管形発光源内装ランプ用ソケット。
【請求項５】
請求項１、２のいずれかに記載された直管形発光源内装ランプと、請求項３、４のいずれかに記載された直管形発光源内装ランプ用ソケットとを組み合わせた照明装置。
【発明の詳細な説明】
【技術分野】
【０００１】
本発明は、直管形蛍光ランプに類似した外観を有し、発光ダイオードなどを実装した基板が内装された直管形発光源内装ランプに関する。
【背景技術】
【０００２】
従来、一般住戸の照明等に広く使用されている直管形蛍光ランプとして、例えば、４０Ｗ型や２０Ｗ型があり、更に長尺タイプ、１１０Ｗ型のものもある。４０Ｗ型、２０Ｗ型ランプではＧ１３口金が採用され、１１０Ｗ型ランプでは、Ｒ１７ｄ口金が採用されているが、両者の口金は互いに形状が異なっており、互換性はない。
【０００３】
従来技術として、Ｇ１３口金を採用した直管形蛍光ランプと、それに対応したソケットとの組み合わせを図面に従って説明する。
【０００４】
図６（ａ）〜（ｇ）は、４０Ｗ型および２０Ｗ型蛍光ランプと、ソケットとの接続関係を示す図面であり、（ａ）は一方のソケットの側面図、（ｂ）はそのソケットの正面図、（ｃ）は蛍光ランプの正面図、（ｄ）はそのランプの側面図、（ｅ）はそのランプの背面図、（ｆ）は他方のソケットの正面図、（ｇ）はそのソケットの側面図になっている。一方のソケットと、蛍光ランプとは、（ｂ）と（ｃ）の間を谷折りした状態で接続され、蛍光ランプと、他方のソケットとは、（ｅ）と（ｆ）との間を谷折りした状態で接続される。
【０００５】
ランプ１００には、一対の電極棒１３ａが突出した口金部１３（Ｇ１３口金）が両端に設けられ、ソケット２００には、電極棒１３ａがそれぞれ挿入される一対の電極穴２１ａが形成された受金部２１が、ランプ１００に対向する面に設けられている。ランプ１００の口金部１３とソケット２００とに特別な対応関係はなく、図６（ｄ）においてランプ１００を左右逆にしても特に問題は生じない。
【０００６】
またＧ１３口金を使用する蛍光ランプは、点灯管などによって点灯される一般タイプのものや、高周波点灯専用タイプのものなどがあるが、それらは管長が同じであっても互換性がないのが通例である。そこで、このような問題に関連して、次の特許文献１には、定格ランプ電力について、適合しない直管形ランプとソケットの組合せによる誤使用を防止するために、口金に平面視矩形状の一対の凸部を設け、受金には、その凸部に対応した平面視矩形状の凹部を設けることが提案されている。
【先行技術文献】
【特許文献】
【０００７】
【特許文献１】特許第４２６１８０８号公報
【発明の概要】
【発明が解決しようとする課題】
【０００８】
ところで近年は、省エネ志向の高まりから、従来の照明器具の替わりに、発光ダイオード等を利用した低消費電力タイプのものが用いられる場合が増えている。直管形蛍光ランプも例外ではなく、これに類似した外観を有し、発光ダイオードなど実装した基板が内装された直管形発光源内装ランプが開発、市販され始めている。
【０００９】
そのような直管形発光源内装ランプには、蛍光ランプと同様に両端に口金部が設けられるが、発光原理が蛍光ランプとは異なる。そのため、口金部を通じて、発光源に対応した直流電源を供給するもの、ランプ内に収容された電源回路に適した交流電源を供給するものがあり、これらは安全性のため接地をする必要もある。
【００１０】
そこで本発明は、従前の蛍光ランプを直管形のＬＥＤランプなどに設備替えする場合に、既設の蛍光ランプ用の給電用ソケットをそのまま使用できる直管形発光源内装ランプを提供することを目的とする。
【００１１】
更に、接地側ソケット、給電側ソケットに接続するべき口金部を両端に設けた直管形発光源内装ランプにおいて、口金部とソケットとの誤接続が生じない直管形発光源内装ランプを提供することを目的とする。
【００１２】
更に、従前の蛍光ランプを直管形のＬＥＤランプなどに設備替えた場合に、既設の蛍光ランプの口金部は接続できず、本願発明の直管形発光源内装ランプのみが接続できる直管形発光源内装ランプ用給電ソケットを提供することを目的とする。
【課題を解決するための手段】
【００１３】
本発明による直管形発光源内装ランプは、発光素子が実装された基板を、一部が透光カバーで構成された管内に、前記発光素子が前記透光カバーに向くように収容し、電極棒を突出させた口金部を両端に有した直管形発光源内装ランプであって、前記口金部のそれぞれには、着脱可能な１つの受金制限突起が、ソケット側に設けられた１つの受穴に当該受金制限突起が受け入れられた場合に前記透光カバーが所定の一方向を向くように配置されている。
【００１４】
前記口金部の一方は接地用電極棒を、他方は給電用電極棒を備えており、かつ前記受金制限突起は、前記口金部の一方、および他方において、それぞれの位置、形状のうちの少なくとも１以上の態様が異なるものとしてもよい。なお、これは、受金制限突起が口金部のいずれか一方のみに設けられた構成、溝部が口金部のいずれか一方のみに設けられた構成も含む。
【００１５】
本発明による直管形発光源内装ランプ用ソケットは、前記直管形発光源内装ランプに対応し、前記直管形発光源内装ランプの口金部より突出した電極棒を挿着させる電極穴が形成された一対の受金部を有したランプ用ソケットであって、前記受金部のそれぞれには、１つの受穴が、前記口金部に配置されている１つの受金制限突起が当該受穴に受け入れられた場合に前記透光カバーが所定の一方向を向くように形成されている。
【００１６】
前記受金部の一方は接地用電極穴、他方は給電用電極穴を備えており、かつ前記受穴、および前記口金制限突条は、前記受金部の一方、および他方において、それぞれの位置、形状のうちの少なくとも１以上の態様が異なるものとしてもよい。なお、これは、受穴が受金部のいずれか一方のみに設けられた構成、口金制限突条が受金部のいずれか一方のみに設けられた構成も含む。
【００１７】
本発明による照明器具は、前記直管形発光源内装ランプと、前記直管形発光源内装ランプ用ソケットとを組み合わせてなる。
【発明の効果】
【００１８】
本願発明の直管形発光源内装ランプによれば、口金部に受金制限突起を設けているので、それらに対応したソケットを準備した照明器具等には、容易に装着できるが、従来の蛍光ランプ用のソケットには受金制限突起が障害となって装着できない。よって非対応のランプを誤装着するような作業ミスが未然に防止できる。また、口金部に設けた受金制限突起は工具などを用いれば簡便に除去できるので、そうすれば、従前の蛍光ランプ用の照明器具のソケットにも装着できる。そのため、従前の照明器具にこれらのランプを使用するための改造が簡単になって、資源の有効利用が図れる。つまり、本願発明の直管形発光源内装ランプを従前の配線設備を利用して施工する場合には、電源回路を取り換えたり、配線を繋ぎ替えたりする必要はあるが、ソケットがそのまま使用できるので、リフォーム時の電気工事作業を容易にし、かつコストも軽減できる。
【００１９】
また、直管形発光源内装ランプの両端に設ける口金部を請求項２の構成とし、かつソケットがその口金部に対応したものとすれば、接地側と給電側とを入れ違えたランプの誤装着も防止できる。
【００２１】
また、直管形発光源内装ランプ用ソケットの受金部を請求項４の構成とし、かつランプがその受金に対応したものとすれば、接地側と給電側とを入れ違えたランプの誤装着も防止できる。
【００２２】
請求項５に記載の照明装置によれば、給電用ソケットには従前の蛍光ランプは接続できず、本願発明の直管形発光源内装ランプのみが接続できる。
【図面の簡単な説明】
【００２３】
【図１】（ａ）〜（ｇ）は、本発明の照明装置を構成する直管形発光源内装ランプと、ソケットとの組み合わせを示す図である。
【図２】は本発明の直管形発光源内装ランプの部分破断底面図である。
【図２Ａ】（ａ）〜（ｃ）は受金制限突起の一例を示す図である。
【図３】（ａ）は接地用ソケットの斜視図、（ｂ）は給電用ソケットの斜視図である。
【図４】（ａ）〜（ｇ）は、本発明の他例の照明装置を構成する直管形発光源内装ランプと、ソケットとの組み合わせを示す図である。
【図５】は、給電用ソケットの斜視図である。
【図６】（ａ）〜（ｇ）は、従来の照明装置である蛍光ランプと、ソケットとの組み合わせ例を示す図である。
【発明を実施するための形態】
【００２４】
以下、本発明の実施例を、図面を参照しながら説明する。
ここに図１（ａ）〜図１（ｇ）は、直管形発光源内装ランプと、ソケットとの接続関係を示す図面である。ここに（ａ）は接地用ソケットの側面図、（ｂ）はそのソケットの正面図、（ｃ）は直管形発光源内装ランプの正面図、（ｄ）はそのランプの側面図、（ｅ）はそのランプの背面図、（ｆ）は給電用ソケットの正面図、（ｇ）はそのソケットの側面図になっている。接地用ソケットと、直管形発光源内装ランプとは、（ｂ）と（ｃ）の間を谷折りした状態で接続される。そして直管形発光源内装ランプと、給電用ソケットとは、（ｅ）と（ｆ）との間を谷折りした状態で接続される。
また図２は、直管形発光源内装ランプの内部構造を示す図面であり、図中、透光カバーの一部が破断されており、その内部にある基板が見えている。基板の一部は省略している。
図３（ａ）、図３（ｂ）は、ソケットの外観を示す図面である。ここに（ａ）は接地用ソケットの斜視図、（ｂ）は給電用ソケットの斜視図である。
【００２５】
ランプ１は、発光素子１１ａが実装された基板１１を、透光カバー１２が設けられた管内に収容し、口金部１３を両端に設けた基本構造を有する。発光素子１１ａは、高輝度白色発光ダイオードが好適であるが、他の種別の発光素子を採用してもよい。
【００２６】
ランプ１は、断面が半円である半円筒形の金属本体１４に、断面が半円である半円筒形の透光カバー１２を向かい合わせて接合し、全体として直管形の外観となっている。基板１１は、発光素子１１ａが透光カバー１２側に向くようにして、金属本体１４に固定されている。透光カバー１２は、ランプ１が所定の高さに配置されたときに、床面を良好に照らす配光特性となるように、レンズ模様１２ａが外壁面の長手方向に筋状に彫刻されている。なお透光カバー１２は、透明な樹脂でも、乳白色な樹脂でもよいが、樹脂に含有させる拡散剤の分量は、配光特性を考慮して定められる。
【００２７】
発光素子１１ａは一般に直流駆動であるが、ランプ１自体は、直流給電に対応した構成も、交流給電に対応した構成も可能である。前者であれば、照明器具（不図示）の本体に必要とされる電源回路（不図示）を設ければよく、後者であればランプ１に同様な電源回路（不図示）を内蔵させればよい。この場合、電源回路は、基板１１の背後等に配置するとよい。以下では、直流給電に対応した構成について、ランプ１の口金部１３の構成、ソケット２の受金部２１の構成を詳しく述べる。
【００２８】
口金部１３は金属本体１４の両端にそれぞれ固定されている。口金部１３の一方は接地用電極を備えた接地用口金部１３Ａであり、他方は直流用の給電用電極を備えた給電用口金部１３Ｂである。いずれの口金部１３も、対応するソケット２に形成した電極穴２１ａに挿着して給電を受けるために一対の電極棒１３ａと、それを突出させた絶縁性の口金部材１３ｄとからなる。電極棒１３ａは、発光素子１１ａが実装された基板１１の幅方向に並べられている。
【００２９】
またいずれの口金部１３の口金部材１３ｄも、電極棒１３ａの近傍より、受金制限突起１３ｂが突出して形成されている。より具体的には、接地用口金部１３Ａの受金制限突起１３ｂは、基板１１の幅方向と並行な長軸を持った楕円形の広がりを有するように形成されている一方、給電用口金部１３Ｂの受金制限突起１３ｂは、基板１１の幅方向に垂直な長軸を持った楕円形の広がりを有するように形成されている。
【００３０】
このような受金制限突起１３ｂが設けられた口金部１３は、その受金制限突起１３ｂに対応した受穴２１ｂのない受金部には嵌らない。つまり受金制限突起１３ｂは、発光源内装ランプが、従来の蛍光ランプを使用する照明器具等に誤って装着されるのを防止するものである。また接地用口金部１３Ａの受金制限突起１３ｂと、給電用口金部１３Ｂの受金制限突起１３ｂとで形状を異ならせ、かつ接地用ソケット２Ａの受金部２１、給電用ソケット２Ｂの受金部２１にそれぞれ対応した受穴２１ｂを形成しておけば、接地側と給電側とを入れ違えたランプ１の誤装着も防止できる。なお、この実施例では、口金部１３の両方に受金制限突起１３ｂを設けているが、これに限らず、いずれか一方のみに設けてもよい。
【００３１】
受金制限突起１３ｂは、根元から折る、あるいは引き抜くなど手指等によって口金部１３から簡単に除去できるように形成するとよい。そのようにすれば、このランプ１が使えるように、従来の蛍光ランプ用の照明器具等を改造する場合、その照明器具のソケットに対して、受金制限突起１３ｂを取り除いたランプ１が嵌るので、ソケットを付け替える必要がなくなる。
【００３２】
この場合の受金制限突起は、種々の形態が採用できる。
すなわち、図２Ａは、受金制限突起の種々の態様を示している。ここでは接地用口金１３Ａを例としているが、給電用口金１３Ｂも同様である。
（ａ）は、受金制限突起１３ｂを接地用口金部１３Ａに一体的に形成したもので、接地用口金部１３Ａの底面から垂直に突出しており、従前のソケット接地用に口金部１３Ａを装着する際にはカッターやペンチなどの工具を用いて基部を折切して受金制限突起１３ｂを除去する。切除を容易にするため、受金制限突起１３ｂの基部は切り込みを入れてもよい。
（ｂ）は、接地用口金部１３Ａの底面に、別体とされた受金制限突起１３ｂを嵌め込む態様を示しており、従前のソケットに装着する際には、ペンチなどの工具を用いて、受金制限突起１３ｂを引き抜いて使用する。
（ｃ）は接地用口金１３Ａに位置合わせ凹所を形成し、別体とされた受金制限突起１３ｂの基部にその凹所に適合したネジ止め用鍔部を形成したものを示している。このようなものでは、ドライバーによってネジを付け外しするだけで、受金制限突起１３ｂを自由に着脱できる。
【００３３】
また、口金部１３の少なくとも一方には、ソケット２に設けられた口金制限突条２１ｃを受け入れる溝部１３ｃを形成するとよい。この例では、給電用口金部１３Ｂにその溝部１３ｃが形成されている。このとき、対応するソケット２の受金部２１には口金制限突条２１ｃが設けられるので、その口金制限突条２１ｃを受け入れる溝部１３ｃのない口金部１３は当然嵌らない。つまり口金制限突条２１ｃは、従来の蛍光ランプが、このランプ１を使用する照明器具等に誤って装着されるのを防止するものであり、これに対応した溝部１３ｃは、その制限を受けないようにするものである。またこの実施例では、後述のように口金制限突条２１ｃを給電用ソケット２Ｂにのみ設け、かつそれに対応した溝部１３ｃを給電用口金部１３Ｂのみに設けているので、ランプ１を照明器具等に装着するときに、接地用口金部１３Ａと給電用口金部１３Ｂとを間違えて装着することも防止できる。
【００３４】
ランプ１の口金部１３は、接地用と、給電用との２種別があるのは上記の通りであるが、同様に、ソケット２も、接地用と、給電用との２種別がある。よって以下では、そのそれぞれを接地用ソケット２Ａ、給電用ソケット２Ｂと呼ぶことにする。言うまでもないが、接地用ソケット２Ａ、給電用ソケット２Ｂは、ランプ１に対して一対で使用される。すなわち、それらはランプ１の管長に適合する距離を隔てて、受金部２１を向かい合わせにして、照明器具の本体、あるいは建造物の天井面等に固定、設置される。
【００３５】
接地用ソケット２Ａは、照明器具本体、あるいは建造物の天井面に固定される脚部２２と、ランプ１の接地用口金部１３Ａに適合する受金部２１とを備える。すなわち接地用口金部１３Ａは、電極棒１３ａが挿入される一対の電極穴２１ａが形成された絶縁性の受金部材２１ｄと、その電極穴２１ａのそれぞれの奥に収容、固定された一対のバネ式電極（不図示）とからなる。バネ式電極は、毛抜きを小型化したようなもので、電極穴２１ａの開口に対して開口部を向けた状態で収容されている。そして刃に相当する部分の間に押し込まれた電極棒１３ａを弾性力によって挟持して電気的に接続する。更に、接地用ソケット２Ａは、接地用口金部１３Ａに設けられている受金制限突起１３ｂが挿入される受穴２１ｂが形成されている。受穴２１ｂは、受金制限突起１３ｂと同様に楕円形の広がりを有する。
【００３６】
また接地用ソケット２Ａは、受金部材２１ｄが弾性体（不図示）によって前進方向の付勢力を受けた状態で脚部２２に収容されており、その受金部材２１ｄはランプ１の装着時には脚部２２の奥に押し込まれ、装着後は再び前進してランプ１を保持するようになっている。
【００３７】
給電用ソケット２Ｂは、接地用ソケット２Ａと基本的には同様の構造を有しており、異なるのは次の点である。すなわち、接地用ソケット２Ｂの受金部２１を構成する受金部材２１ｄは、電極棒１３ａが挿入される電極穴２１ａ、受金制限突起１３ｂが挿入される受穴２１ｂに加えて、１つの口金制限突条２１ｃが形成されている。口金制限突条２１ｃは、受金部材２１ｄの中心付近から上方向（天井側）に延びている。また給電用ソケット２Ｂは、受金部材２１ｄが脚部２２に対して移動不可能に固定されている。
【００３８】
次いで、交流給電に対応した構成について説明する。ただし直流給電に対応した構成と共通する点については、詳細な説明を割愛する。
ここに図４（ａ）〜図４（ｇ）は、直管形発光源内装ランプと、ソケットとの接続関係を示す図面である。ここに（ａ）は接地用ソケットの側面図、（ｂ）はそのソケットの正面図、（ｃ）は直管形発光源内装ランプの正面図、（ｄ）はそのランプの側面図、（ｅ）はそのランプの背面図、（ｆ）は給電用ソケットの正面図、（ｇ）はそのソケットの側面図になっている。接地用ソケットと、直管形発光源内装ランプとは、（ｂ）と（ｃ）の間を谷折りした状態で接続される。そして直管形発光源内装ランプと、給電用ソケットとは、（ｅ）と（ｆ）との間を谷折りした状態で接続される。
また図５は、給電用ソケットの斜視図である。
【００３９】
交流給電に対応したランプ１は、発光素子１１ａに直流電源を供給するための電源回路（不図示）が内蔵されている。したがってランプ１は、両端のそれぞれに、接地用口金部１３Ａと、交流用の給電用口金部１３Ｂとを備える。
【００４０】
接地用口金部１３Ａは、直流給電に対応したランプ１のものと共通であってもよい。しかしながら、給電用口金部１３Ｂは、直流給電に対応したランプ１のものとは異ならせて、照明器具等への誤装着を防止することが強く望まれる。
【００４１】
そのためには、給電用口金部１３Ｂの口金部材１３ｄに形成する溝部１３ｃ、およびその溝部１３ｃに対応させて給電用ソケット２Ｂの受金部材２１ｄに形成する口金制限突条２１ｃの位置、個数、形状などの形態を、直流給電に対応した構成の場合と異ならせればよい。この例では、溝部１３ｃおよび口金制限突条２１ｃは、２個ずつとして、給電側のみに設けられ、口金部材１３ｄ、受金部材２１ｄのそれぞれの中心付近から上方向（天井側）に延びている。なお溝部１３ｃ、および口金制限突条２１ｃは、給電側ではなく、接地側に設けてもよい。
【００４２】
以上のように構成した直流給電に対応したランプ、および交流給電に対応したランプは、いずれも口金部に受金制限突起を設けているので、その状態では、それらに対応したソケットを有する照明器具等には装着できるが、従来の蛍光ランプ用のソケットを有する照明器具には装着できない。よって照明器具に非対応のランプを誤装着する作業ミスが防止できる。更に、受金制限突起は簡便に除去でき、そうすれば、発光源内装ランプを、蛍光ランプ用の照明器具のソケットに装着できる。そのため、従前の照明器具にこれらのランプを使用するための改造が簡単になって、資源の有効利用が図れる。なお、その改造では、電源回路を取り換えたり、配線を繋ぎかえたりする必要はあるが、ソケットがそのまま使用できるので、リフォーム時の電気工事作業を容易にし、かつコストも軽減できる。
【００４３】
また、直流給電に対応したランプ用のソケットは、給電用ソケットにだけ１つの口金制限突条を設け、かつ直流給電に対応したランプの給電用口金部には、その口金制限突条に対応した１つの溝部を設けている。一方、交流給電に対応したランプ用のソケットは、給電用ソケットにだけ２つの口金制限突条を設け、かつ交流給電に対応したランプの給電用口金部には、その口金制限突条に対応した２つの溝部を設けている。
【００４４】
したがって、発光源内装ランプを上下逆にして装着してしまう、あるいは接地側と給電側とを逆にして装着してしまうということが未然に防止できる。
【００４５】
また、従来の蛍光ランプの口金部は、直流給電に対応した給電用ソケット、交流給電に対応した給電用ソケットのいずれにも嵌らないので、蛍光ランプの誤装着によるランプ自身の損傷や、照明器具の損傷が未然に防止できる
【００４６】
なお以上の説明では、直流給電に対応した構成において、給電用ソケットに１つの口金制限突条を設け、かつランプの給電用口金部に１つの溝部を設け、交流給電に対応した構成において、給電用ソケットに２つの口金制限突条を設け、かつランプの給電用口金部に２つの溝部を設けるとしたが、特に、そのような個数に制限はない。例えば、直流給電に対応した構成と、交流給電に対応した構成とで、口金制限突条、および溝部の個数が逆であってもよい。
【符号の説明】
【００４７】
１          ランプ
１１        基板
１１ａ      発光素子
１２        透光カバー
１３        口金部
１３ａ      電極棒
１３ｂ      受金制限突起
１３ｃ      溝部
２          ソケット
２１        受金部
２１ａ      電極穴
２１ｂ      受穴
２１ｃ      口金制限突条
【図１】
0005938199.tif 000002
【図２】
0005938199.tif 000003
【図２Ａ】
0005938199.tif 000004
【図３】
0005938199.tif 000005
【図４】
0005938199.tif 000006
【図５】
0005938199.tif 000007
【図６】
0005938199.tif 000008